(57)【要約】【課題】無線通信システムにおける調整無線サービングおよび調整干渉回避方法を提供すること。【解決手段】ネットワークＮと複数のユーザ端末Ｔ１〜Ｔｎの間のエアインタフェース通信のために、ＯＦＤＭなどのマルチキャリア技術を利用する無線通信システムにおける調整無線サービングおよび調整干渉回避方法であって、ネットワークＮは、無線ネットワークコントローラＮＥ３によって制御される少なくとも２つの基地局ＮＥ１およびＮＥ２を備え、基地局は、そのセルサービスエリアＣ１およびＣ２内部に位置するユーザ端末Ｔ１〜Ｔｎとの通信手段を有し、ユーザ端末Ｔは、起点基地局ＮＥ１によってカバーされる第１のセルサービスエリアＣ１から、サービスオーバーラップ領域ＳＨＯに移動し、この中では、少なくとも、第２の基地局ＮＥ２によってカバーされる第２のサービスセルエリアＣ２も利用可能である。【選択図】      図３
2005323358.tif 000002
【特許請求の範囲】
【請求項１】
ネットワーク（Ｎ）と複数のユーザ端末（Ｔ１〜Ｔｎ）の間のエアインタフェース通信のために、ＯＦＤＭなどのマルチキャリア技術を利用する無線通信システムにおける端末支援調整無線サービング方法であって、ネットワーク（Ｎ）は、無線ネットワークコントローラ（ＮＥ３）によって制御される少なくとも２つの基地局（ＮＥ１およびＮＥ２）を備え、基地局は、そのセルサービスエリア（Ｃ１およびＣ２）内部に位置するユーザ端末（Ｔ１〜Ｔｎ）との通信手段を有し、
ユーザ端末（Ｔ）は、起点基地局（ＮＥ１）によってカバーされる第１のセルサービスエリア（Ｃ１）から、サービスオーバーラップ領域（ＳＨＯ）に移動し、この中では、少なくとも、第２の基地局（ＮＥ２）によってカバーされる第２のサービスセルエリア（Ｃ２）も利用可能であり、
端末（Ｔ）が少なくとも２つのパイロットチャネルを並行して受信できるようにＯＦＤＭワイヤレス通信チャネルが設計され、各パイロットチャネルは、サービスオーバーラップ領域（ＳＨＯ）内でオーバーラップする各サービスセルエリアのためのものであり、
移動無線ネットワーク（Ｎ）が、ＯＦＤＭ時間−周波数グリッドを、いくつかの直交したオーバーラップしない時間−周波数パターンに区分し、時間−周波数パターンを、時間−周波数グループにグループ化し、グループは、前記時間−周波数パターンの少なくとも１つを含み、ユーザ端末（Ｔ）に前記時間−周波数グループの１つを通信のために割り当て、
端末（Ｔ）が、サービスオーバーラップ領域（ＳＨＯ）内部で起点セル（Ｃ１）の境界に移動するとき、そのエリア内の干渉隣接基地局からのパイロット信号を測定し、移動無線ネットワーク（Ｎ）に、これらの基地局（ＮＥ２）およびその起点基地局（ＮＥ１）からの受信の強度についての情報を信号通知し、
端末（Ｔ）の情報およびネットワーク基準に基づいて、移動無線ネットワーク（Ｎ）が、端末（Ｔ）に、起点基地局（ＮＥ１）内で同じ時間−周波数グループ、ならびにオーバーラップ領域（ＳＨＯ）内でサービスする他の基地局（ＮＥ２）の少なくとも１つを確保し割り当てようとし、
移動無線ネットワーク（Ｎ）が、一方向で、端末との同期通信のために前記サービング基地局（ＮＥ１およびＮＥ２）の少なくとも２つを使うことによって、ネットワークのデータトラフィックが、無線ネットワークコントローラ（ＮＥ３）によって、前記サービング基地局（ＮＥ１およびＮＥ２）に転送され、次いで、同じ時間−周波数グループおよび同じ情報伝達信号を用いて、同期して伝送を行うことを特徴とする方法。
【請求項２】
ネットワーク（Ｎ）と複数のユーザ端末（Ｔ１〜Ｔｎ）の間のエアインタフェース通信のために、ＯＦＤＭなどのマルチキャリア技術を利用する無線通信システムにおける端末支援調整干渉回避方法であって、ネットワーク（Ｎ）は、無線ネットワークコントローラ（ＮＥ３）によって制御される少なくとも２つの基地局（ＮＥ１およびＮＥ２）を備え、基地局は、そのセルサービスエリア（Ｃ１およびＣ２）内部に位置するユーザ端末（Ｔ１〜Ｔｎ）との通信手段を有し、
ユーザ端末（Ｔ）は、起点基地局（ＮＥ１）によってカバーされる第１のセルサービスエリア（Ｃ１）から、サービスオーバーラップ領域（ＳＨＯ）に移動し、この中では、少なくとも、第２の基地局（ＮＥ２）によってカバーされる第２のサービスセルエリア（Ｃ２）も利用可能であり、
端末（Ｔ）が少なくとも２つのパイロットチャネルを並行して受信できるようにＯＦＤＭワイヤレス通信チャネルが設計され、各パイロットチャネルは、サービスオーバーラップ領域（ＳＨＯ）内でオーバーラップする各サービスセルエリアのためのものであり、
移動無線ネットワーク（Ｎ）が、ＯＦＤＭ時間−周波数グリッドを、いくつかの直交したオーバーラップしない時間−周波数パターンに区分し、時間−周波数パターンを、時間−周波数グループにグループ化し、グループは、前記時間−周波数パターンの少なくとも１つを含み、ユーザ端末（Ｔ）に前記時間−周波数グループの１つを通信のために割り当て、
端末（Ｔ）が、サービスオーバーラップ領域（ＳＨＯ）内部で起点セル（Ｃ１）の境界に移動するとき、そのエリア内の干渉隣接基地局からのパイロット信号を測定し、移動無線ネットワーク（Ｎ）に、これらの基地局（ＮＥ２）およびその起点基地局（ＮＥ１）からの受信の強度についての情報を信号通知し、
端末（Ｔ）の情報およびネットワーク基準に基づいて、移動無線ネットワーク（Ｎ）が、端末（Ｔ）に、起点基地局（ＮＥ１）内で同じ時間−周波数グループ、ならびにオーバーラップ領域（ＳＨＯ）内でサービスする他の基地局（ＮＥ２）の少なくとも１つを確保しようとし、
移動無線ネットワーク（Ｎ）が、端末（Ｔ）に関連づけられた時間−周波数グループを用いて、端末（Ｔ）に、起点基地局（ＮＥ１）からのみデータを送り続け、端末（Ｔ）に関連づけられたこの時間−周波数グループで、他の基地局（ＮＥ２）によって伝送される電力を低減し、それによって、干渉が十分に削減されることを特徴とする方法。
【請求項３】
起点基地局（ＮＥ１）および干渉基地局（ＮＥ２）が時間同期されないことを特徴とする請求項２に記載の調整干渉回避方法。
【請求項４】
移動無線ネットワーク（Ｎ）が、ＨＡＲＱなど、端末（Ｔ）とのＡＲＱ機構をさらに使用して、起点基地局（ＮＥ１）から端末（Ｔ）に送信されたとき、エラーとして受信されたパケットを再スケジュールすることを特徴とする請求項２に記載の調整干渉回避方法。
【請求項５】
端末（Ｔ）が少なくとも２つのシグナリングチャネルを並行してさらに受信できるように、ＯＦＤＭワイヤレス通信チャネルが設計されることを特徴とする請求項１または２に記載の方法。
【請求項６】
移動無線ネットワーク（Ｎ）と端末（Ｔ）の間の通信のための、時間−周波数グループの確保および割当てが、起点基地局（ＮＥ１）、および／または干渉基地局（ＮＥ２）および／または無線ネットワークコントローラ（ＮＥ３）によって行われることを特徴とする請求項１または２に記載の方法。
【請求項７】
移動無線ネットワーク（Ｎ）と端末（Ｔ）の間の通信用の時間−周波数グループの確保および割当てについて、移動無線ネットワーク（Ｎ）が、利用可能な時間−周波数パターンまたはグループ、関与しているすべてのセルにおけるロード状況、サービスタイプ、優先順位、および端末がネットワークから受けているサービスの品質などの要因を考慮することを特徴とする請求項１または２に記載の方法。
【請求項８】
調整伝送モードでスケジュールされない、端末への時間−周波数パターンまたは時間−周波数グループ割当てが、時間−周波数パターンにわたって、発生されるセル間干渉をより均一にさせるようにランダムに、または擬似ランダムに周期的に変えられることを特徴とする請求項１または２に記載の方法。
【請求項９】
移動無線ネットワーク（Ｎ）が、ＯＦＤＭ時間−周波数グリッドを、周波数ホッピングを使用しない、いくつかの直交したオーバーラップしない周波数パターン（ＦＰ１〜ＦＰ１６）に区分することを特徴とする請求項１または２に記載の方法。
【請求項１０】
異なるセル内の端末（Ｔ）によって受信されるＯＦＤＭシステムパイロットチャネルが、データとしてより高いエネルギーをもつパイロットシンボルを有するインターリービング非オーバーラップ方法で、設計されることを特徴とする請求項９に記載の方法。
【請求項１１】
異なるセル内の端末（Ｔ）によって受信されるＯＦＤＭシステムパイロットおよびシグナリングチャネルが、データとしてより高いエネルギーをもつパイロットおよび子Gなリングシンボルを有するインターリービング非オーバーラップ方法で、設計されることを特徴とする請求項５に記載の方法。
【請求項１２】
各基本周波数パターン（ＦＰ１〜ＦＰ１６）は、セル固有のパイロットパターンとは独立にすべてのセル内で同じ場所を占め、固有の送信セルパイロット位置を収容するために、各パターンで十分な場所をさらに含み、少なくとも常に、このようなパターンの基本チャネルデータレートのために基本的な数の時間−周波数場所を残し、そうすることによって、基本周波数パターンは、送信セルパイロットからは干渉を受けず、異なるパイロットパターンを有する隣接セルからの干渉のみを受け、最大でもオーバーヘッドの場所に相当する量だけが、すなわち、周波数パターンの全体の場所と、基本チャネルデータレートのための基本的な数の時間−周波数位置との差が、送信パイロット位置のために残されることを特徴とする請求項９に記載の方法。
【請求項１３】
ＯＦＤＭ時間−周波数グリッドを、いくつかの直交したオーバーラップしない時間−周波数パターンに区分し、これらのパターンを、前記時間−周波数パターンの少なくとも１つを含む時間−周波数グループにグループ化し、通信のために前記時間−周波数グループの１つをユーザ端末（Ｔ）に割り当てる手段と、端末（Ｔ）から、セルパイロット信号に関する受信測定値の強度についてシグナリング情報を受信する手段と、前記情報を分析し、ネットワーク（Ｎ）の少なくとも２つの基地局（ＮＥ１およびＮＥ２）に、端末（Ｔ）との通信のために同じ時間−周波数グループを確保し割り当てる手段と、少なくとも２つの隣接する基地局（ＮＥ１およびＮＥ２）からの、同じ時間−周波数グループの同じ情報伝達信号を、同期して端末（Ｔ）に伝送する手段、および／または時間−周波数グループで基地局（ＮＥ１）からのみ伝送を行い、前記時間−周波数グループで隣接基地局（ＮＥ２）から伝送される電力を低減する手段とを備えることを特徴とする移動無線ネットワーク（Ｎ）。
【請求項１４】
端末（Ｔ）とのＡＲＱ機構を実施して、起点基地局（ＮＥ１）から端末（Ｔ）に送信されたとき、エラーとして受信されたパケットを再スケジュールする手段をさらに備えることを特徴とする請求項１３に記載の移動無線ネットワーク（Ｎ）。
【請求項１５】
少なくとも２つのＯＦＤＭパイロットチャネルおよび／または２つのＯＦＤＭシグナリングチャネルを並行して受信する手段と、通信のために移動無線ネットワーク（Ｎ）と時間−周波数グループを交渉する手段と、干渉隣接基地局（ＮＥ２）からのＯＦＤＭパイロット信号を測定し、前記情報を移動無線ネットワーク（Ｎ）に信号シグナリングする手段とを備えることを特徴とするユーザ端末（Ｔ）。
【請求項１６】
ＯＦＤＭ時間−周波数グリッドを、いくつかの直交したオーバーラップしない時間−周波数パターンに区分し、このようなパターンを、時間−周波数グループにグループ化し、Ｔ−Ｆグループは前記時間−周波数パターンの少なくとも１つを含み、ユーザ端末（Ｔ）に通信のために前記Ｔ−Ｆグループの１つを割り当てる手段と、端末（Ｔ）から、セルパイロット信号に関する受信測定値の強度についてシグナリング情報を受信する手段と、前記情報を分析し、ネットワーク（Ｎ）の別のネットワーク要素に、端末（Ｔ）との通信のために同じ時間−周波数グループを確保し割り当てる手段と、別の隣接ネットワーク要素と及び同じ時間−周波数グループの同じ情報伝達信号を、同期した方法で端末（Ｔ）に伝送する手段、および／または端末（Ｔ）との通信のために隣接ネットワーク要素によって既に割り当てられている時間−周波数グループで伝送される電力を低減する手段とを備えることを特徴とするネットワーク要素（ＮＥ）。
【発明の詳細な説明】
【技術分野】
【０００１】
本発明は、ワイヤレス通信システムに関し、特に、直交周波数分割多重（ＯＦＤＭ）移動通信システムなどの、多数のサブキャリアを利用するデジタル無線通信システムにおける端末支援調整無線サービングおよび干渉回避のための方法に関する。
【背景技術】
【０００２】
ＯＦＤＭ技術を利用するような、多くのサブキャリアを利用する通信システムが現在、高速デジタルラジオおよびテレビ信号の伝送、たとえばデジタル音声放送（ＤＡＢ）およびデジタル映像放送地上伝送モード（ＤＶＢ−Ｔ）システムに使われている。また、ＯＦＤＭは、現在のローカルエリアネットワーク（ＬＡＮ）、たとえばＨｉｐｅｒＬＡＮおよびＩＥＥＥ  ＷＬＡＮ標準システムへのワイヤレスアクセスのための広帯域エアインタフェース実現のための、広く受け入れられた標準高ビットレート伝送技術となっている。また、同様に、高速ブロードバンドワイヤレス移動通信システムの標準化のための第３世代パートナーシッププロジェクト（３ＧＰＰ）は最近、無線エリアネットワーク（ＲＡＮ）とユーザ装置（ＵＥ）の間のエアインタフェース通信のためにＯＦＤＭ技術の適用を検討している。
【０００３】
ＯＦＤＭは、マルチキャリアまたは離散マルチトーン変調と呼ばれることもあり、この場合、伝送されるデータは、いくつかの並列データストリームに分割され、各データストリームは、個別のサブキャリアを変調するのに使われる。ＯＦＤＭシステムにおいて、ブロードバンド無線チャネルは、たとえばＱＰＳＫ、１６ＱＡＭ、６４ＱＡＭ、またはサブキャリア当たりのより高いデータレートを可能にする、より高い変調オーダーを用いて別個に変調される複数の狭帯域サブチャネルまたはサブキャリアに更に細かく分割される。
【０００４】
一般的には、無線通信サービスをサポートする無線通信システムは、エアインタフェースを介してユーザ端末と通信する無線アクセスネットワークを備える。特に、無線アクセスネットワークは、無線ネットワークコントローラ（ＲＮＣ）によって制御される複数の基地局を備え、この基地局は、基地局のセルサービスエリア内部に位置するユーザ端末との通信を担当する。
【０００５】
このようなセルラー構造において既によく知られているように、一般的にはユーザ端末は、ある起点セルエリアから宛先セルエリアに移動する。端末がその起点セルサービスエリアの境界に近づいた時点で、２つの隣接セルがオーバーラップする場合、共通ＣＳ（回路交換）またはＰＳ（パケット交換）サービスは、隣接セル干渉のせいで著しく低下する場合がある。このような干渉エリア内で端末によって受信されるサービスの品質を向上させるために、いわゆる「ソフトハンドオーバ」方法が開発された。ユーザ端末が、このオーバーラップ領域から離れて宛先セルエリアに移動すると、「ハンドオーバ」プロセスが始まり、このプロセスによって、端末は、起点サービングチャネルを解放し、宛先基地局と通信し続ける。
【０００６】
ＣＤＭＡシステムでは、たとえば、オーバーラップエリアにサービスする多数の基地局との通信チャネルをユーザ端末が確立するためのソフトハンドオーバ手順が用いられる。起点基地局によってサービスされる端末は、前記基地局のセル境界に近づくと、最も干渉の強い隣接セルを測定し、報告を行った後、ＲＮＣから基地局を介して、その宛先基地局のための追加（異なる）コードを割当られる。情報は次いで、ＲＮＣから両方（またはそれ以上）の基地局を介して端末に届き、復調および逆拡散の後、端末で組み合わされる。
【０００７】
しかし、無線通信ＯＦＤＭシステムのための、ソフトハンドオーバに似たシナリオおよび方法は、まだ確定されていない。さらに、ＯＦＤＭシステムでは、異なる基地局用の異なるスクランブルコードがない。したがって、特定のセルエリア内のある基地局から、ＯＦＤＭ技術を用いてＣＳまたはＰＳデータを受信しているユーザ端末が、別のセルエリアに移動した場合、セルの境界でのサービス品質は、適正なハンドオーバプロセスが実施されるまで、著しく低下する。
【発明の開示】
【発明が解決しようとする課題】
【０００８】
したがって、本発明の目的は、上述したＯＦＤＭシステムの技術的な問題を解決し、ＯＦＤＭ伝送技術を用いて、移動通信システムにおいてセルの境界でＣＳまたはＰＳデータを受信するユーザ端末のために、サービス品質を向上させる方法を提供することである。
【課題を解決するための手段】
【０００９】
上記の目的は、本発明に従って、請求項１に記載の端末支援調整無線サービング方法、および請求項２に記載の端末支援調整干渉回避方法によって達成される。
【００１０】
上記の目的は、請求項１３に記載の移動無線ネットワーク、請求項１５に記載のユーザ端末、および請求項１６に記載のネットワーク要素によっても達成される。
【００１１】
本発明の有利な構成は、従属請求項、以下の説明、および図面から明らかになる。たとえば、提案された本発明を用いることによって、特にセルの境界領域内に位置する端末に対して、無線リソースがより効率的に使用され、セルスループットが増加され得ることが有利である。セルの境界エリア内でのダウンリンク干渉が減少され、これによって、ユーザによって経験されるサービス品質、および基地局サービスの到達範囲が両方とも改善することも有利である。別の利点は、端末がこのような端末支援調整干渉回避を実施しているとき、パケットトラフィックに対して、ハイブリッド自動再送要求（ＨＡＲＱ）などの高速自動再送要求（ＡＲＱ）機構が使われ得ることである。
【００１２】
次に、本発明の実施形態例が、図１〜図５を用いて説明される。
【発明を実施するための最良の形態】
【００１３】
図１は、４つのユーザチャネルＡ、Ｂ、Ｃ、およびＤへのサブキャリアＳ１〜ＳＮの例示的な割当を、ＯＦＤＭ時間−周波数（Ｔ−Ｆ）グリッドで示す。
【００１４】
ＯＦＤＭは、このユーザチャネル用のデータレートをコントロールするために、１つまたは複数のサブキャリアＳ１〜ＳＮを１人のユーザあるいは１つの論理チャネルＡ、Ｂ、Ｃ、またはＤに柔軟に割当てることを可能にする。この割当は、ＴＤＭＡシステムにおいて時間をわたって（たとえば、Ｋのシンボル期間Ｔｓ（たとえば２ｍｓの期間）の変更期間で）変わり得るので、図１に示されるように、これ以降Ｔ−Ｆグリッドと呼ばれる、２次元の資源割当グリッドを得る。
【００１５】
時間−周波数グリッドの場所のいくつかは、パイロットまたはシグナリング情報の搬送に使われるので、データ伝送に利用可能でない場合がある。ユーザへの残りの場所の割当ては、周波数または時間あるいはその両方の組合せに基づいて行われ得る。
【００１６】
図２は、移動通信システムのブロック図を示し、このシステムにおいて、複数のネットワーク要素ＮＥ１〜ＮＥｎを含む移動無線ネットワークＮ、および複数のユーザ端末Ｔ１〜Ｔｎが、エアインタフェースのダウンリンクチャネルＤＣおよびアップリンクチャネルＵＣを介し、少なくともダウンリンクでは、ＯＦＤＭなどのマルチキャリア変調方式を用いて、データ情報を交換する。ネットワーク要素ＮＥ１〜ＮＥｎは、たとえば基地局、無線ネットワークコントローラ、コアネットワークスイッチ、または一般的にワイヤレス移動通信に使われる他のどの通信要素でもよい。
【００１７】
図３は、「ソフトハンドオーバに似た」シナリオにおける、本発明による端末支援調整無線サービングおよび干渉回避方法を示し、起点ネットワーク要素ＮＥ１によってカバーされる第１のセルサービスエリアＣ１から、サービスがオーバーラップする「ソフトハンドオーバ」領域ＳＨＯに移動する端末Ｔを含み、隣接ネットワーク要素ＮＥ２によってカバーされる第２のセルサービスエリアＣ２も利用可能である。概して、サービスがオーバーラップするソフトハンドオーバ領域ＳＨＯは、セルの境界近くに位置する。エアインタフェースを介して端末Ｔと通信するネットワーク要素ＮＥ１およびＮＥ２は両方とも、これ以降、基地局と呼ばれ、前記基地局の監視を担当するネットワーク要素ＮＥ３は、これ以降、無線ネットワークコントローラと呼ばれる。
【００１８】
本発明によれば、ネットワークＮのＯＦＤＭ通信チャネルは、パイロットチャネル、および必要とされる場合はシグナリング情報チャネルが、並行して端末Ｔによって受信され得るように設計される。この設計は、データとしてより高いエネルギーをもつパイロットおよびシグナリングシンボルとともに、各セルＣ１およびＣ２にパイロット及び必要とされる場合はシグナリングを、インターリービング非オーバーラップ方式で、割り当てることによって、達成される。端末Ｔはしたがって、少なくとも２つのパイロットチャネルを受信し、必要とされる場合は、２つの信号チャネルも並行して受信することができそれぞれのチャネルは、ソフトハンドオーバ領域ＳＨＯ内でオーバーラップしている各セルサービスエリアのためのものである。図３の例において、端末Ｔは、２つのパイロットチャネルを受信し、おそらく２つのシグナリングチャネルも受信し、１つのチャネルは起点基地局ＮＥ１からであり、もう１つのチャネルは、隣接基地局ＮＥ２からである。
【００１９】
２つのシグナリングチャネルを並行してさらに受信する可能性は、端末が、起点基地局（ＮＥ１）および干渉基地局（ＮＥ２）と並行して通信する必要がある場合のみ必要とされる。これは、起点基地局（ＮＥ１）および干渉基地局（ＮＥ２）が、基地局と端末Ｔの間の通信用の時間−周波数グループの確保および割当てについて、無線ネットワークコントローラ（ＮＥ３）なしで、単独で交渉し決定する場合に必要であろう。
【００２０】
また本発明によれば、移動無線ネットワークＮは、ＯＦＤＭ  Ｔ−Ｆグリッドを、いくつかの直交した、オーバーラップしないＴ−Ｆパターンに区分し、いくつかのＴ−Ｆグループ、すなわち、いくつかのＴ−Ｆパターンからなる各Ｔ−Ｆグループに組み合わせる。移動無線ネットワークＮはまた、通信のために各端末に前記Ｔ−Ｆグループの１つを割り当てる。たとえば、図３の端末Ｔは、決定されたＴ−Ｆグループに基づいてスケジュールされると仮定する。
【００２１】
端末Ｔは、「ソフトハンドオーバ」領域ＳＨＯ内部でセルの境界に移動すると、そのエリア内の干渉隣接基地局からのパイロット信号を測定し、これらの及びその起点基地局ＮＥ１およびＮＥ２からの受信強度についての情報を、移動無線ネットワークＮに信号通知する。その情報に基づいて、移動無線ネットワークＮは、起点基地局ＮＥ１、及び端末Ｔとの干渉シナリオに関与している干渉基地局ＮＥ２の少なくとも１つに、同じＴ−Ｆグループを、端末（Ｔ）に確保し、及び／または割り当てようとする。Ｔ−Ｆグループの確保および割当てのために、移動無線ネットワークＮは、利用可能なＴ−ＦパターンまたはＴ−Ｆグループ、関与しているすべてのセルにおけるロード状況、サービスタイプ、優先順位、および端末がネットワークから受けているサービスの品質などの要因を考慮する。したがって、利用可能な時間−周波数パターンに基づいて、新しい時間−周波数グループが構築され、その後確保されることも可能である。
【００２２】
この時点で、移動無線ネットワークＮは、上述したようにネットワーク内で利用可能な情報にも基づいて、本発明による方法を以下の異なる２つの方法で実施することを決定し得る。
Ａ．たとえば、ユーザ端末Ｔが、ネットワークから、たとえば音声会話に関与している、ＣＳサービスを受信する場合、移動無線ネットワークＮは、端末との同期通信のために、関与している基地局ＮＥ１およびＮＥ２を使うことによって、無線サービングを調整することができる。データトラフィックは次いで、無線ネットワークコントローラＮＥ３から、サービング基地局ＮＥ１およびＮＥ２に転送され、こうしたサービング基地局は次いで、同じＴ−Ｆグループおよび同じ情報伝達信号を用いて、同期して伝送を行う。
Ｂ．たとえば、端末Ｔが、ネットワークからＰＳサービスを受信する場合、たとえばインターネットセッションに関与している場合、移動無線ネットワークＮは、端末Ｔに関連づけられたＴ−Ｆグループにおいて干渉基地局ＮＥ２によって伝送される電力を低減することによって、干渉を調整することを決定することができ、そうすることによって、干渉が十分に削減される。
【００２３】
第１のケース（Ａ）、又は調整無線サービングシナリオにおいて、サービング基地局ＮＥ１およびＮＥ２は、ソフトハンドオーバに似た方式で、同期した方法で、端末Ｔに同じ情報を送信する。受信される２つのチャネルのインパルス応答は、加えられ、レベルの上昇およびダイバーシティの上昇により、信号レベルは、どの干渉も上回るほど高くなるので、端末Ｔによって受信されるサービスは、基地局の間の広い領域内で向上される。
【００２４】
第２のケース（Ｂ）、又は調整干渉シナリオにおいて、電力は、確保されるＴ−Ｆグループに対して、干渉基地局内で、起点基地局ＮＥ１からのデータ受信に対する実質的な干渉が生じないレベルまで削減され、またはゼロまで削減される。このＴ−Ｆグループにおいて、主要な干渉は、隣接基地局ＮＥ２から起きていたので、前記電力低減により、信号対干渉比（ＳＩＲ）が改善し、その結果、「ソフトハンドオーバ」領域ＳＨＯでも、すなわち、セルの境界でも、または境界を越えても、端末Ｔは、起点基地局ＮＥ１によってのみサービスされ得る。隣接基地局ＮＥ２は、依然としてこのＴ−Ｆグループを使って、低下された電力で、他の端末をそのセルＣ２内部でスケジュールすることができる。これらは、たとえば、基地局ＮＥ２からの信号を強く受信する前記基地局アンテナの近く（セルＣ２の内部サークルの中）にある端末でよい。
【００２５】
「ソフトハンドオーバ」オーバーラップ領域ＳＨＯ内で調整を用いておらず、したがって調整されたＴ−Ｆグループについてスケジュールされない、隣接セル内のユーザ端末に対する干渉を平均化するために、本発明の好ましい実施形態では、こうした端末への時間−周波数パターンまたは時間−周波数グループ割当ては、周期的に、たとえばＫ個分のＯＦＤＭシンボルの変更期間ごとに、ランダムまたは擬似ランダム方式で変えられる。これは、発生されたセル間干渉が、すべての時間周波数パターンに渡ってより均一になる。同じ目標をもつ代替ソリューションでは、非調整伝送において端末について使われるＴ−Ｆグループは、異なるセル内で異なるように、つまり、異なる時間−周波数パターンを備えるように構築され得る。したがって、たとえばセルＣ１内で、ある非調整グループを使用すると、隣接セルＣ２内の別の非調整グループのわずかな時間−周波数パターンにのみ影響する。
【００２６】
本発明による第２の方法、又は干渉調整方法の重大な利点は、起点基地局ＮＥ１が単独で端末Ｔ向けにパケットをスケジュールすることを可能にし、そうすることによって、第１のソフトハンドオーバに似た方法で行われていたように、端末Ｔにサービスするために、無線ネットワークコントローラＮＥ３から他の基地局ＮＥ２に同じデータが伝送される必要がないことである。さらに、起点基地局ＮＥ１以外の他の基地局は、端末Ｔへのデータパケットの伝送に関与していないので、あるパケットが受信されていないか、または破壊されたことを、受信機が送信機に知らせるためのハイブリッド自動再送要求（ＨＡＲＱ）などの効率的な高速自動再送要求（ＡＲＱ）機構が、起点基地局ＮＥ１から端末Ｔへの前記破壊パケットの再伝送に使われ得るようになる。
【００２７】
図４は、１５個の異なるサブキャリア周波数サブバンドＦＳ１〜ＦＳ１５からなる、ＯＦＤＭ  Ｔ−Ｆグリッドが区分され得る１５個の可能なＴ−Ｆパターンの１つを示し、各サブバンドは、４０個のサブキャリアを有し、周波数サブバンドは、時間とともに変更される。
【００２８】
このようなＴ−Ｆパターンの１つまたは複数は、Ｔ−Ｆグループを形成するようにグループ化されることができ、Ｔ−Ｆグループは、本発明による調整無線サービングシナリオ（Ａ）または調整干渉回避シナリオ（Ｂ）において、移動無線ネットワークＮとの通信のために端末Ｔに割り当てられることができる。このことは、本発明におけるこうしたＴ−Ｆパターンの使用には、異なる基地局によって使われる場合、異なるパターンの間の直交性を保証するために、時間同期した基地局が必要であることを意味する。
【００２９】
図５は、本発明によるＯＦＤＭ  Ｔ−Ｆグリッド区分の別の可能性を示す。この図は、時間が経過しても常に同じサブキャリア周波数サブバンドを割当てる１６個の可能なＴ−Ｆパターンのうち、２つのＦＰ１およびＦＰ２を示す。時間が経過しても、周波数サブバンドの割当が一定しているので、こうしたＴ−Ｆパターンは、単に周波数パターンと呼ばれ得る。
【００３０】
本発明に従って２つのパイロットチャネルが並行して受信され得るようにＯＦＤＭ通信チャネルが設計される、ＯＦＤＭ  Ｔ−Ｆグリッドの区分が、これ以降、一例であるソリューションを用いて説明される。たとえば、７０４個のサブキャリアを利用し、直流（ＤＣ）搬送波を考慮せず、５ＭＨｚのバンドで、２ｍｓの期間Ｔｓにおいて数Ｋ＝１２であるＯＦＤＭシンボルの場合のＯＦＤＭシステムが検討される。
【００３１】
パイロットおよびシグナリング情報は、１２個のサブキャリアごとに、たとえば番号０、１２、２４、３６、４８、６０、７２などのように、６９６まで配置され得る。したがって、たとえば、各偶数ＯＦＤＭシンボルごとに、サブキャリア０、２４、４８、７２などが、パイロット情報を搬送し、他のサブキャリア１２、３６、６０、などが、シグナリング情報を搬送し、各奇数ＯＦＤＭシンボルごとに、サブキャリア１２、３６、６０、などが、パイロット情報を搬送し、他のサブキャリア０、２４、４８、などが、シグナリング情報を搬送する。隣接セル、たとえばＣ２では、パイロット／シグナリングサブキャリアは、周波数方向に１だけシフトされ、１、１３、２５、３７、４９、６１、７３、などのように、６９７まで続く。この構成により、元の場所に再度到達するまで、１２回のシフトが行われる。したがって、１２個の異なるインターリービング非オーバーラップパイロット／シグナリングパターンが可能であり、隣接セルが同じパイロット／シグナリングサブキャリアを使うことがないように、エリア内に分散され得る。
【００３２】
１６×４４＝７０４なので、１６個の周波数パターンＦＰ１〜ＦＰ１６は、それぞれ４４個のサブキャリアからなると定義され得る。４４個のサブキャリアは、たとえば、周波数軸をわたって拡散する１１個の周波数ストリップＦＰｎＳ１〜ＦＰｎＳ１１に配置されることができ、各ストリップＦＰｎＳｎは、図５に示されるように４個の近接サブキャリアを含む。同じ周波数パターンＦＰｎのストリップＦＰｎＳｎの間の距離はしたがって、１６×４＝６４サブキャリア分であるので、たとえば、第１の周波数パターンＦＰ１は、その第１の周波数ストリップＦＰ１Ｓ１に割り振られたサブキャリア０〜３、その第２の周波数ストリップＦＰ１Ｓ２に割り振られた６４〜６７、第３の周波数ストリップＦＰ１Ｓ３の１２８〜１３１、などを含む。上で説明した区分によれば、各周波数パターンＦＰ１〜ＦＰ１６は、パイロットパターンのシフトと独立に、すべての場所において最大４個のパイロットまたはシグナリングサブキャリアを含む。したがって、データ伝送用に、１２個のＯＦＤＭシンボルで残る４４個のサブキャリアのうち常に４０個があり、その結果、各２ｍｓブロックごとに総レートが１２×４０＝４８０個の複合サブキャリアシンボル（４８０個のＱＡＭシンボル）がデータ伝送に使用可能である。
【００３３】
各基本周波数パターン（ＦＰ１〜ＦＰ１６）は、セル固有のパイロットパターンとは無関係に、すべてのセル内で同じ場所を占め、固有の送信セルパイロット位置を収容するために、各パターンで十分な場所をさらに含み、少なくとも常に、このようなパターンの４８０個の複合サブキャリアシンボルの基本チャネルデータレート用に、基本的な数の時間−周波数場所を残し、それにより、基本周波数パターンは、送信セルパイロットからは干渉を受けず、異なるパイロットパターンを有する隣接セルからの干渉のみを受け、最大でも４個のサブキャリア×１２個のＯＦＤＭシンボルからなるオーバーヘッドの場所に相当する量だけが、パイロット位置の送信用に残され、すなわち、周波数パターンの全場所（４４×１２個）と、基本チャネルデータレート用の基本的な数の時間−周波数位置（４０×１２個）との差が残される。
【００３４】
前記周波数パターンは、Ｔ−Ｆグループにグループ化されることができ、こうしたグループは、本発明による調整無線サービングシナリオ（Ａ）または調整干渉シナリオ（Ｂ）両方において、移動無線ネットワークＮとの通信のために端末Ｔに割り当てられ得る。
【００３５】
本発明による周波数パターンを使用する利点は、調整干渉回避方法（Ｂ）が、端末Ｔと移動無線ネットワークＮの間の通信に使われる場合、周波数パターンの使用および干渉回避は、たとえば図４に示されるような時間フレーム構造と関係がないので、基地局ＮＥ１およびＮＥ２が時間同期する必要がないことである。このことは、移動無線ネットワークＮ内のすべての基地局の時間同期は、有利には回避される実質的な成果であるので、非常に望ましい特徴である。
【００３６】
概括すると、本発明の説明には、ＯＦＤＭ変調方式が用いられたが、上記の提案は、原理的に、ＯＦＤＭとは異なるどのマルチキャリア変調方式にも同様に適合され得ることを理解されたい。
【００３７】
本明細書において説明した、調整無線サービングおよび干渉方法を実施するための手段は、移動無線ネットワークＮ内のどこにでも、つまり、基地局や無線ネットワークコントローラなどのネットワーク要素ＮＥ内、または無線リソースマネージャエンティティによって、ネットワーク要素ＮＥの内部にも外部にも置かれることができ、前記手段は、ハードウェアおよび／またはソフトウェアの形で実装されることを理解されたい。
【図面の簡単な説明】
【００３８】
【図１】ＯＦＤＭ時間−周波数グリッドへのユーザチャネルへの従来のサブキャリアのマッピング例を示す図である。
【図２】ネットワークおよびユーザ端末を含む従来のＯＦＤＭ移動通信システムを示すブロック図である。
【図３】本発明による端末支援調整無線サービングおよび干渉回避方法を示す図である。
【図４】本発明による調整無線サービングまたは干渉回避のために端末に割り当てられ得る、時間をわたり変化する異なるいくつかの周波数サブバンドからなる例示的な時間−周波数パターンを示す図である。
【図５】本発明による調整無線サービングまたは干渉回避のために端末に割り当てられ得る、時間をわたり同じサブキャリアを割当てる、例示的な時間−周波数パターンを示す図である。
【符号の説明】
【００３９】
Ｓ１〜ＳＮ  サブキャリア
Ａ、Ｂ、Ｃ、Ｄ  ユーザチャネル
ＮＥ１〜ＮＥｎ  ネットワーク要素
Ｎ  移動無線ネットワーク
Ｔ１〜Ｔｎ  ユーザ端末
ＤＣ  ダウンリンクチャネル
ＵＣ  アップリンクチャネル
Ｃ１、Ｃ２  サービスエリア
ＳＨＯ  ソフトハンドオーバ領域
Ｔ  端末
ＦＳ１〜ＦＳ１５  サブキャリア周波数サブバンド
ＦＰ１、ＦＰ２  周波数パターン
ＦＰｎＳ１〜ＦＰｎＳ１１  周波数ストリップ
【図１】
2005323358.tif 000003
【図２】
2005323358.tif 000004
【図３】
2005323358.tif 000005
【図４】
2005323358.tif 000006
【図５】
2005323358.tif 000007
【外国語明細書】
2005323358.tif 000008
2005323358.tif 000009
2005323358.tif 000010
2005323358.tif 000011
2005323358.tif 000012
2005323358.tif 000013
2005323358.tif 000014
2005323358.tif 000015
2005323358.tif 000016
2005323358.tif 000017
2005323358.tif 000018
2005323358.tif 000019
2005323358.tif 000020
2005323358.tif 000021
2005323358.tif 000022
2005323358.tif 000023
2005323358.tif 000024
2005323358.tif 000025
2005323358.tif 000026
2005323358.tif 000027
2005323358.tif 000028
2005323358.tif 000029
2005323358.tif 000030
2005323358.tif 000031